(57)【要約】回動連結器は、互いに係合可能な歯のあるパーツ（２４、３４）をもつプラスチックコンポーネント（２０、３０）をもち、それらを、多数の角度関係に維持する。コンポーネント（２０、３０）はまた、ソケットまたはプラグ（２２、３２）を含み、管（１２、１４）を係合する。プラスチックコンポーネント（２０、３０）の構造的破損の場合、この連結器は、コンポーネント（２０、３０）中にはめ込まれ、そして両方をそれらおよび管（１２、１４）に取り付けるスチールプレート（７２−７３）をもつさらなるヒンジ（７０）によって、なお、ともに保持される。この連結器は、暑さまたは寒さの極端な気候が、プラスチックコンポーネントの脆化およびそれらの突然の破損に至り得る場合、乳母車またはベビーカーの調節可能なハンドルに有用である。
2004525313.tif 000002
【特許請求の範囲】
【請求項１】
角度の付いた調節可能な連結器であって：
個々の管状コンポーネントに係合かつ固定されるよう適合された、一対のソケットメンバーまたはプラグメンバー；
該ソケットメンバーまたはプラグメンバーを連結する手段であって、それによって、これらは、該管状コンポーネント間で異なる角度関係を有する複数の位置に相対的に移動可能である、手段；を備え、
ここで、該ソケットメンバーまたはプラグメンバーが、１つ以上のプラスチック材料で形成され、そして該連結器が細長い補強手段をさらに備え、該連結器が該個々の管状コンポーネントに固定されるとき、該補強手段が、該ソケットメンバーまたはプラグメンバーの両方に固定され、かつこれらを連結し、そしてさらに該管状コンポーネントを連結するように配置され、
それによって、該ソケットメンバーまたはプラグメンバー、あるいは該連結する手段の任意の構造的破損の際に、該管状コンポーネントはともに連結されたままである、連結器。
【請求項２】
前記連結する手段が、前記位置の各々において、前記ソケットメンバーまたはプラグメンバーを、選択的に解放可能に掛金を掛ける手段を備える、請求項１に記載の角度の付いた調節可能な連結器。
【請求項３】
前記細長い補強手段が、前記管状コンポーネント間の角度関係に従って相対的に回動可能に調節可能であるように、ヒンジ点でヒンジによりともに連結される２つ以上のコンポーネントを含む、請求項１または２に記載の角度の付いた調節可能な連結器。
【請求項４】
前記補強手段が、前記管状コンポーネント間の角度調節の軸と同軸でともにヒンジ連結される、一対の金属プレートを備える、請求項３に記載の角度の付いた調節可能な連結器。
【請求項５】
前記ヒンジ点が、前記プラグまたはソケットメンバーの少なくとも１つに固定される、請求項３または４に記載の角度の付いた調節可能な連結器。
【請求項６】
個々の共通ファスナーが採用され、前記補強手段の両方を同時に、個々のソケットメンバーまたはプラグメンバーおよび個々の管状コンポーネントに固定する、請求項５に記載の角度の付いた調節可能な連結器。
【請求項７】
前記ソケットメンバーまたはプラグメンバーが、前記補強手段を収容かつ位置決めする構成を含むプラスチック成型物を含む、請求項１〜６のいずれか１項に記載の角度の付いた調節可能な連結器。
【発明の詳細な説明】
【技術分野】
【０００１】
本発明は、管状コンポーネントを、管状コンポーネントが互いに対して異なる角度の位置で選択的に解放可能に掛金が掛かるように提供する様式で相互連結するために利用される種類の角度の付いた調節可能な連結器に関する。
【背景技術】
【０００２】
問題のこの種類の連結器の特定の適用は、乳母車、ベビーカーまたはプッシャーならびに赤ちゃんおよび幼い子供を運ぶための同様の押す乗物にある。代表的には、これらの乗物は、傾斜した逆Ｕ字型の管状コンポーネントのハンドルアセンブリを備えている。異なる身長の世話人に適応させるため、および乗物を押すとき彼（彼女）らの快適さを最大にするため、および背中の緊張を最小にするために、乗物の各側面で、ハンドルアセンブリと乗物の主フレームとの間に調節可能な連結器を提供することが知られている。この連結器の１つの形態は、戻りスプリングに対してプッシュボタンを押すことによって一時的に脱係合されパーツの相対的回転を可能にし得る、一対の相互係合する歯のある環状メンバーである。
【０００３】
代表的には、これらの角度の付いた連結器は、各々がプラスチック成型物のアセンブリで作製される一対の回転可能に連結されたコンポーネントを含む。より極端な気候の場所で明らかになった問題は、これらアセンブリの１つの突然の構造破損であり、パーツの構造的崩壊または完全な分離を生じる。いくつかの場合には、１つの連結器のこの構造的崩壊は、他の連結器におけるひずみおよび応力を生じ、これは、この他の連結器の同時またはほぼ同時の破損を引き起した。この結果は、ハンドルアセンブリの、乗物の残りからの完全な分離であり、これは、もちろん、乗物の場所に依存して非常に重大な結果を有し得る。
【発明の開示】
【発明が解決しようとする課題】
【０００４】
論議されるこの種類の角度の付いた調節可能な連結器で生じる完全分離の可能性を少なくとも低減することが本発明の目的である。
【課題を解決するための手段】
【０００５】
従って、本発明は、角度の付いた調節可能な連結器を提供し、これは：
個々の管状コンポーネントに係合かつ固定されるよう適合された、一対のソケットメンバーまたはプラグメンバー；
該ソケットメンバーまたはプラグメンバーを連結する手段であって、それによって、これらは、該管状コンポーネント間で異なる角度関係を有する複数の位置に相対的に移動可能である、手段；を備え、
ここで、該ソケットメンバーまたはプラグメンバーが、１つ以上のプラスチック材料で形成され、そして該連結器が細長い補強手段をさらに備え、該連結器が該個々の管状コンポーネントに固定されるとき、該補強手段が、該ソケットメンバーまたはプラグメンバーの両方に固定され、かつこれらを連結し、そしてさらに該管状コンポーネントを連結するように配置され、
それによって、該ソケットメンバーまたはプラグメンバー、あるいは該連結する手段の任意の構造的破損の際に、該管状コンポーネントはともに連結されたままである。
【０００６】
好ましくは、前記連結する手段が、前記位置の各々において、前記ソケットメンバーまたはプラグメンバーを、選択的に解放可能に掛金を掛ける手段を備える。
【０００７】
好ましくは、前記細長い補強手段が、前記管状コンポーネント間の角度関係に従って相対的に回動可能に調節可能であるように、ヒンジ点でヒンジによりともに連結される２つ以上のコンポーネントを含む。
【０００８】
好適な形態では、前記補強手段が、前記管状コンポーネント間の角度調節の軸と同軸でともにヒンジ連結される、一対の金属プレートを備える。好ましくは、前記ヒンジ点が、前記プラグまたはソケットメンバーの少なくとも１つに固定される。有利には、個々の共通ファスナーが採用され、前記補強手段（例えば、個々のプレート）の両方を同時に、個々のソケットメンバーまたはプラグメンバーおよび個々の管状コンポーネントに固定する。
【０００９】
好ましくは、前記ソケットメンバーまたはプラグメンバーが、前記補強手段を収容かつ位置決めする構成を含むプラスチック成型物を含む。
【００１０】
本発明を、例示のみの目的で、添付の図面を参照してさらに説明する。
【発明を実施するための最良の形態】
【００１１】
（好ましい実施形態）
例示の角度の付いた調節可能な連結器１０を、個々の管状フレーム１２、１４を相互連結するために原位置で示す。代表的には、これらの管状コンポーネントは、個々に、乳母車またはベビーカーの主フレームおよびハンドルフレームの一部分であり得、そして乳母車またはベビーカーの対向する側面上に個々の類似の連結器１０が存在し得る。
【００１２】
この連結器の主要本体メンバーは、２０、３０で示される。各々は、個々の管状コンポーネント１２、１４、および互いに相補的な環状パーツ２４、３４を受け入れることによって係合するように適合された環状断面の、ほぼ管状のソケットパーツ２２、３２を備える。環状パーツ２４、３４は、それらの円筒状周縁の回りがほぼＶ次型の軸方向に配置された歯によって規定される、対向する内側凹部２５、３５をもつ。図２では、環３４の歯３６のみが見える。環状パーツ２４、３４は、回動ピン４０上での回転のためにともにアセンブルされ、そしてキャビティー２５、３５中のボス５２上にマウントされるピニオン５０により回転に対して通常ともにロックされている。
【００１３】
ピニオン５０は、ボス５２上を、両方の環状パーツ上の第１の位置（ピニオン５０は、らせん状圧縮スプリング５４によってボス５２に付勢され、そしてここで、ピニオン歯５１が歯３６に係合する）と、第２の位置（キャビティー３５内全体、ここで、このピニオン歯は、環状パーツ２４の歯と係合しない）との間を軸方向に移動可能である。この後者の位置では、本体メンバー２０、３０は、手動操作により、ピン４０軸上を、管状コンポーネント１２、１４の相対的角度関係を調節するために互いに回転可能である。この調節を可能にするために、ピニオン５０を、環状パーツ２４の外面に剥き出る、軸方向に移動可能な中空のプッシュボタン６０によりその掛かり位置から軸方向に押される。プッシュボタン６０は、ピニオン５０の端面と係合する、縁のある環状リム６２をもつ。この縁は、環状パーツ２４中の開口部６４中にプッシュボタンを保持し、そこで、それは、環状パーツ２４の横方向ウェブ２８と、プッュボタン６０中の一対の長軸方向スロット６８との間の係合によりスライド式に鍵がかかる。ウェブ２８はまた、ピン４０をその場に固定する。
【００１４】
本体メンバー２０、３０の内面上、−すなわち、乳母車またはベビーカーにおいて、他の連結器に面する側面上−で、このプラスチック成型物は、個々のスチールプレート７２、７３のための浅いシートを規定するリッジ６９をもつ。ソケット２２、３２の軸は、ピン４０の横方向回動軸とはオフセット位置にあることが注目される。対応して、プレート７２、７３の内端部は、湾曲し、かつ転倒したセグメント７４、７５をもち、その結果、これらプレートの内端部は、環状パーツ３４をもまた係合する固定リベット７６によって、ピン４０の軸と同軸に重複し、そして回動可能に互いに取り付けられる。
【００１５】
プレート７２、７３の他の端部は、個々のソケット２２、３２の対向する側面にある直径が対向して一致するアパーチャ８４、８５と整合するファスナーアパーチャ８０、８１をもつ。連結器が原位置でアセンブルされるとき、個々の単一のファスナーは、プレート７２または７３、ソケット２２または３２、および管状フレームコンポーネント１２または１４を通って延びる。
【００１６】
プレート７２、７３の完成したアセンブリ７０は、上記連結器が個々の管状コンポーネント１２、１４に固定されるとき、この補強アセンブリ７０が、上記ソケット２２、３２の両方に固定されかつ連結し、そして管状コンポーネント１２、１４の両方をさらに連結するように配置された、細長い補強手段を備えることが観察される。使用において、本体メンバー２０、３０の、または相対的角度調節のためにそれらをともに連結する手段の任意の構造的破損が存在すれば、これら管状コンポーネント１２、１４は、この補強アセンブリによってともに接続されたままである。このような構造的破損は、例えば、非常に寒いかまたは非常に暑い場所における、より極端な気候環境における脆化から生じる、プラスチック成型物または溶着物中に破損があるとき、実質的に警告なしに生じ得る。論議される特定の適用、例えば、乳母車、ベビーカーまたその他の赤ちゃんまたは子供運搬乗物において、例示の配置は、主フレームアセンブリからのハンドルアセンブリの分離を保護する。
【００１７】
本明細書で開示および規定される本発明は、本文または図面に記載されるか、またはそれらから明瞭である２つ以上の特徴のすべての代替の組み合わせに拡大されることが理解される。すべてのこれらの異なる組み合わせは、本発明の種々の代替局面を構成する。
【図面の簡単な説明】
【００１８】
【図１】図１は、一対の管状フレームコンポーネントを接続して示す、本発明の実施形態による角度の付いた調節可能な連結器の斜視図である。
【図２】図２は、別の方向および配向からの連結器の展開図である。
【国際公開パンフレット】
2004525313.tif 000003
2004525313.tif 000004
2004525313.tif 000005
2004525313.tif 000006
2004525313.tif 000007
2004525313.tif 000008
2004525313.tif 000009
2004525313.tif 000010
2004525313.tif 000011
2004525313.tif 000012
2004525313.tif 000013
【国際調査報告】
2004525313.tif 000014
2004525313.tif 000015